(57)【要約】【課題】  試料の化合物組成をより精度良く判別するとともに、その際の使い勝手を向上することができる化合物分析装置を提供する。【解決手段】  ＦＴＩＲ法によって試料を測定した結果にピークサーチマッチングを施してこれを分析し、当該試料を構成する化合物組成の候補を１又は複数抽出するＦＴＩＲ分析部３１と、ＸＲＦ法によって前記試料を測定した結果にピークサーチマッチングを施してこれを分析し、当該試料を構成する元素組成の候補を１又は複数抽出するＸＲＦ分析部３２と、前記ＦＴＩＲ分析部３１による候補抽出結果とＸＲＦ分析部３２による候補抽出結果とを照合し、ＦＴＩＲ分析部３１で抽出された各候補に対して試料組成としての妥当性を示す妥当性評価値をそれぞれ算出する評価部３３と、を設けるようにした。【選択図】  図１
2010014573.tif 000002
【特許請求の範囲】
【請求項１】
ＦＴＩＲ法によって試料を測定した結果にピークサーチマッチングを施してこれを分析し、当該試料を構成する化合物組成の候補を１又は複数抽出するＦＴＩＲ分析部と、
ＸＲＦ法によって前記試料を測定した結果にピークサーチマッチングを施してこれを分析し、当該試料を構成する元素組成の候補を１又は複数抽出するＸＲＦ分析部と、
前記ＦＴＩＲ分析部による候補抽出結果とＸＲＦ分析部による候補抽出結果とを照合し、ＦＴＩＲ分析部で抽出された各候補に対して試料組成としての妥当性を示す妥当性評価値をそれぞれ算出する評価部と、を具備している化合物分析装置。
【請求項２】
前記評価部が、ＸＲＦ分析部で抽出された各候補に対しても、試料組成としての妥当性を示す妥当性評価値をそれぞれ算出するものである請求項１記載の化合物分析装置。
【請求項３】
前記化合物が有機物である請求項１又は２記載の化合物分析装置。
【請求項４】
前記評価部で算出された妥当性評価値に基づいて、ＦＴＩＲ分析部で抽出された各候補のうちから試料組成としての妥当性が高いものを絞り込む絞り込み部をさらに具備している請求項１乃至３いずれか記載の化合物分析装置。
【請求項５】
前記絞り込み部によって絞り込まれた候補に加え、ＦＴＩＲ分析部による試料分析結果、ＸＲＦ分析部による試料分析結果、及び当該試料のカメラ画像を、同一画面又は用紙に出力する画像出力部を更に具備している請求項４記載の化合物分析装置。
【請求項６】
前記評価部で算出された妥当性評価値を表示出力するスコア出力部をさらに具備している請求項５記載の化合物分析装置。
【請求項７】
ＦＴＩＲ法によって試料を測定した結果にピークサーチマッチングを施してこれを分析し、当該試料を構成する化合物組成の候補を１又は複数抽出するＦＴＩＲ分析部と、
ＸＲＦ法によって前記試料を測定した結果にピークサーチマッチングを施してこれを分析し、当該試料を構成する元素組成の候補を１又は複数抽出するＸＲＦ分析部と、
前記ＦＴＩＲ分析部による候補抽出結果とＸＲＦ分析部による候補抽出結果とを照合し、ＦＴＩＲ分析部で抽出された各候補に対して試料組成としての妥当性を示す妥当性評価値をそれぞれ算出する評価部と、としての機能をコンピュータに発揮させることを特徴とする化合物分析装置用プログラム。
【発明の詳細な説明】
【技術分野】
【０００１】
この発明は、ＦＴＩＲ法によって試料の化合物に係る組成分析を行う化合物分析装置等に関するものであり、特にＸＲＦ法による分析を同時に行うことのできる分析装置等に関するものである。
【背景技術】
【０００２】
従来、Ｘ線と赤外線とを同一試料に照射し、試料分析を行う装置として、特許文献１〜４に示すものが知られている。例えば特許文献１には、Ｘ線と赤外線を試料の同一位置に対して同時に照射したとき、試料において発生する二次及び反射赤外線をそれぞれＸ線検出器及び赤外線検出器によって検出し、これら検出器の出力を二次Ｘ線信号処理部及びＦＴＩＲ信号処理部によってそれぞれ処理する構成の装置が記載されている。
【特許文献１】特開２０００−２５８３４０
【特許文献２】特開２００１−１３０９５
【特許文献３】特開２００８−３９５２２
【特許文献４】特開平１０−１８２８０２
【発明の開示】
【発明が解決しようとする課題】
【０００３】
しかしながら、前記各文献記載の装置は、単に２つの手法による試料分析を同一試料に対して施すだけであり、装置入れ替えなどの手間を省くことはできるが、各分析方法を単独で施したときの分析上生じる問題点までも解決するものではない。
【０００４】
例えば、ＦＴＩＲ分析では、化合物間の干渉やクエンチングなどが生じるうえ、ピークが近似する化合物の有効な分離が難しいため、試料の組成が全く未知の場合などに誤った分析結果を出力する恐れがあるし、二次Ｘ線のスペクトルによる分析では、化合物の組成、特に構造が複雑な有機化合物の組成特定が困難であるという問題点があるが、前記各文献記載の装置では、このような単独分析での問題点は依然残されたままである。
【０００５】
そこで本発明は、上記問題点を解決し、ＦＴＩＲ法とＸＲＦ法とを組み合わせることによって、それぞれを単独で用いたときに生じる分析上の問題点を、相互の分析結果を互いに参照することで解決し、試料の化合物組成をより精度良く判別するとともに、その際の使い勝手をも向上することをその主たる所期課題としたものである。
【課題を解決するための手段】
【０００６】
すなわち本発明に係る化合物分析装置は、ＦＴＩＲ法によって試料を測定した結果にピークサーチマッチングを施してこれを分析し、当該試料を構成する化合物組成の候補を１又は複数抽出するＦＴＩＲ分析部と、ＸＲＦ法によって前記試料を測定した結果にピークサーチマッチングを施してこれを分析し、当該試料を構成する元素組成の候補を１又は複数抽出するＸＲＦ分析部と、前記ＦＴＩＲ分析部とＸＲＦ分析部とによる候補抽出結果を照合し、ＦＴＩＲ分析部で抽出された各候補に対して試料組成としての妥当性を示す妥当性評価値をそれぞれ算出する評価部と、を具備していることを特徴とするものである。
【０００７】
このようなものであれば、前記ＦＴＩＲ分析部による候補抽出結果とＸＲＦ分析部による候補抽出結果とを照合し、相互の分析結果に生じている矛盾等を考慮して各組成候補の妥当性評価値を算出するので、従来のようなＦＴＩＲ単独での分析に比べて遙かに組成判別精度がよく、確からしい分析結果を自動的に得ることができる。また、この結果、組成が全く未知の試料に対しても、有効な分析結果を得ることが可能になる。
【０００８】
より好ましくは、前記評価部が、ＸＲＦ分析部で抽出された各候補に対しても、試料組成としての妥当性を示す妥当性評価値をそれぞれ算出するようにしてもよい。
【０００９】
本発明の効果が特に顕著となるのは、前記化合物が有機物の場合であり、ＸＲＦ法による分析結果と照合することにより、ＦＴＩＲ法で測定された組成判定ミスを有効に排除できる。
【００１０】
ユーザの使い勝手の観点から言えば、前記評価部で算出された妥当性評価値に基づいて、ＦＴＩＲ分析部で抽出された各候補のうちから試料組成としての妥当性が高いものを絞り込む絞り込み部をさらに具備しているものが好ましい。
【００１１】
絞り込んだ候補は、画面に出力されるが、このとき、それら候補に加え、ＦＴＩＲ分析部による試料分析結果、ＸＲＦ分析部による試料分析結果、及び当該試料のカメラ画像を同一画面又は用紙に出力するように構成しておけば、分析結果のユーザ自らによる確認やその記録を好適に行うことができ、ユーザの使い勝手をより向上させることができるようになる。
【００１２】
また、前記評価部で算出された妥当性評価値を表示出力するスコア出力部をさらに具備しているものであれば、より望ましい。
【発明の効果】
【００１３】
以上に説明した本発明によれば、分析結果から得られる組成判定について、ＦＴＩＲ法とＸＲＦ法との結果を自動的に照合して可及的に矛盾を排除するので、試料の化合物組成をより精度良く判別できるうえに、試料分析する際のユーザの使い勝手を種々の観点から向上させることができるようになる。
【発明を実施するための最良の形態】
【００１４】
以下、本発明の一実施形態を図面を参照して説明する。
【００１５】
本発明に係る有機化合物分析装置１００は、図１に示すように、ＦＴＩＲ法によって試料を測定するＦＴＩＲ測定機構１と、ＸＲＦ法によって試料を測定するＸＲＦ測定機構２と、これら測定機構からの原測定データを受信して分析する情報処理機構３とを具備しており、同一の試料を移動させることなく載置したままで、各測定機構による試料同一箇所の測定が行えるようにしたものである。
【００１６】
しかして、前記情報処理機構３は、ハードウェア構成としては、ＣＰＵ、メモリ、ＡＤコンバータなどからなるものであって、前記メモリに記憶させたプログラムにしたがって、ＣＰＵやその周辺機器が動作することにより、ＦＴＩＲ分析部３１、ＸＲＦ分析部３２、評価部３３、絞り込み部３４、スコア出力部３５、画像出力部３６等としての機能を発揮する。なお、この情報処理機構３は、物理的に一体である必要はなく、分散して存在しても構わない。例えばＦＴＩＲ測定機構１側に、この情報処理機構３の一部があるなどしてもよい。
【００１７】
次にこの情報処理機構３における各機能部の説明を兼ねて、その動作につき、以下に説明する。
【００１８】
まず、前記ＦＴＩＲ測定機構１で試料の測定が行われると、その測定データである赤外線吸収スペクトルデータが、ＦＴＩＲ分析部３１に送信される（図２、ステップＳ１）。
ＦＴＩＲ分析部３１は、この赤外線吸収スペクトルデータに、ガウシアン関数をフィッティングするなどしてピーク波数を決定する（ステップＳ２）。そして、そのピーク波数に対応する分子（有機化合物）を、メモリの所定領域に設けた化合物−ピーク波数関係格納部Ｄ１から検索して抽出し、化合物組成候補として出力する（ステップＳ３）。
【００１９】
次に、前記ＸＲＦ測定機構２で試料の測定が行われると、その測定データであるＸ線の蛍光スペクトルデータが、ＸＲＦ分析部３２に送信される（ステップＳ４）。
ＸＲＦ分析部３２は、この蛍光スペクトルデータに、ガウシアン関数をフィッティングするなどしてピークエネルギ（又はピーク角度）を決定する（ステップＳ５）。そして、そのピークエネルギに対応する元素を、メモリの所定領域に設けた元素−ピークエネルギ関係格納部Ｄ２から検索して抽出し、元素組成候補として出力する（ステップＳ６）。
【００２０】
次に、評価部３３が、前記ＦＴＩＲ分析部３１によって抽出された化合物組成候補と、ＸＲＦ分析部３２によって抽出された元素組成候補とを照合し、ＦＴＩＲ分析部３１で抽出された各化合物組成候補に対して、試料組成としての妥当性を示す妥当性評価値をそれぞれ算出する（ステップＳ７）。例えば、ＸＲＦによって検出されなかった元素を含んだ化合物が、ＦＴＩＲ分析部３１による候補にあるとすれば、その候補は、判定信頼性が低いとして評価値が小さくなる。その他に、候補化合物から算出される元素比などの整合性も照合し、評価値を決定する。なお、この評価部３３は、ＸＲＦ分析部３２によって抽出された各元素組成候補に対しても、ＦＴＩＲ分析部３１によって抽出された化合物組成候補との関係に基づいて評価値を算出する（ステップＳ８）。
【００２１】
このようにして妥当性評価値が算出されると、次に、絞り込み部３４が、ある一定の閾値以上の評価値を有する化合物組成候補及び元素組成候補を抽出する（ステップＳ９）。この絞り込みのための閾値は、ユーザが適宜指定することもできる。
【００２２】
そして、最終的には、図３に示すように、画像出力部３６が、前記絞り込み部３４で絞り込まれた候補５に加え、ＦＴＩＲ分析部３１による試料分析結果（ここでは赤外線吸収スペクトル）Ｇ１、ＸＲＦ分析部３２による試料分析結果（ここでは蛍光スペクトル）Ｇ２、及び当該試料のカメラ画像Ｇ３を、同時にディスプレイ４の画面又はプリンタ用紙に出力する（ステップＳ１０）。さらにこの実施形態では、スコア出力部３５によって、前記評価部３３で算出された妥当性評価値６をもが、画面又は用紙に同時に表示出力される。
【００２３】
しかして、このように構成した本実施形態による有機化合物分析装置１００によれば、ＦＴＩＲ分析部３１による候補抽出結果とＸＲＦ分析部３２による候補抽出結果とを照合し、各組成候補の妥当性評価値を算出するので、従来のようなＦＴＩＲ単独での分析に比べて遙かに組成判別精度がよく、確からしい分析結果を得ることができる。特に有機化合物の組成判定には、従来ユーザの経験に大きく依存していたが、この有機化合物分析装置１００によれば、経験の浅いユーザでも使いこなすことができるようになる。また、組成が全く未知の試料に対しても、有効な分析結果を得ることが可能になる。
【００２４】
さらに、ＦＴＩＲ分析部３１による試料分析結果、ＸＲＦ分析部３２による試料分析結果、及び当該試料のカメラ画像を同一画面又は用紙に出力するようにしているので、分析結果のユーザ自らによる確認やその記録に際して役立つものとなる。
【００２５】
なお、本発明は前記実施形態に限られるものではなく、その趣旨を逸脱しない範囲で種々の変形が可能であることは言うまでもない。
【産業上の利用可能性】
【００２６】
本発明を適用することにより、試料の化合物組成をより精度良く判別できるうえに、試料分析する際のユーザの使い勝手を種々の観点から向上させることができるようになる。
【図面の簡単な説明】
【００２７】
【図１】本発明の一実施形態に係る化合物分析装置の機能ブロック図。
【図２】同実施形態における化合物分析装置の動作を示すフローチャート。
【図３】同実施形態における化合物分析装置の表示画面の一例を示す画面図。
【符号の説明】
【００２８】
１００・・・化合物分析装置
３１・・・ＦＴＩＲ分析部
３２・・・ＸＲＦ分析部
３３・・・評価部
３４・・・絞り込み部
３５・・・スコア出力部
３６・・・画像出力部
【図１】
2010014573.tif 000003
【図２】
2010014573.tif 000004
【図３】
2010014573.tif 000005